(57)【要約】【目的】タイヤに簡単に装着でき広告効果の高い広告プレートを提供する。【構成】平板状の広告板部に、自動車用タイヤのトレッド一部に嵌まり該トレッドを露出させる開口を設け、このタイヤ露出開口の大きさを、広告板部がタイヤトレッドの接平面近傍に位置し、別のタイヤをほぼ同軸上に隣接させることができる大きさとし、さらにこのタイヤ露出開口のタイヤトレッド幅方向の両側縁部から、トレッドの背面のホイル装着穴内において互いに結合される結合手段を延長したタイヤ装着広告プレート。【選択図】      図２
2004212810.tif 000002
【特許請求の範囲】
【請求項１】
自動車用タイヤのトレッド一部に嵌まり該トレッドを露出させる開口を有する広告板部；及び
上記タイヤ露出開口のタイヤトレッド幅方向の両側縁部に連なり、上記タイヤ露出開口から露出する上記トレッドの背面のホイル装着穴内において互いに結合される結合手段；
を有し、
上記タイヤ露出開口の大きさは、上記広告板部がタイヤトレッドの接平面近傍に位置し、別のタイヤをほぼ同軸上に隣接させることができる大きさであることを特徴とするタイヤ装着広告プレート。
【請求項２】
請求項１記載のタイヤ装着広告プレートにおいて、広告板部には、一対の互いに平行な切断線と、この一対の切断線の両端部と直交する一対の互いに平行な折曲線と、この一対の折曲線の中間に存在する分断線とによって一対のタイヤ側面リップが形成されていて、上記一対の折曲線で折り曲げられた一対のタイヤ側面リップと上記一対の平行な切断線によって上記タイヤ露出開口が形成されており、上記一対のタイヤ側面リップにそれぞれ上記結合手段を構成する結合腕が延長形成されているタイヤ装着広告プレート。
【請求項３】
請求項２記載のタイヤ装着広告プレートにおいて、上記結合腕は、各タイヤ側面リップから広告板部に渡らせて設けた切断線と、該タイヤ側面リップ内に位置させた折曲線とで形成されているタイヤ装着広告プレート。
【発明の詳細な説明】
【０００１】
【技術分野】
本発明は、自動車の販売用タイヤに装着して用いる広告プレートに関する。
【０００２】
【従来技術とその問題点】
自動車用のタイヤショップでは、販売用タイヤを如何にして目立たせ、購買者にインセンティブ（インパクト）を与えることができるかに腐心している。
【０００３】
【発明の目的】
本発明は、タイヤに簡単に装着でき広告効果の高い広告プレートを提供してこのような要求に応えることを目的とする。
【０００４】
【発明の概要】
本発明によるタイヤ装着広告プレートは、自動車用タイヤのトレッド一部に嵌まり該トレッドを露出させる開口を有する広告板部；及びタイヤ露出開口のタイヤトレッド幅方向の両側縁部に連なり、タイヤ露出開口から露出するトレッドの背面のホイル装着穴内において互いに結合される結合手段；を有し、タイヤ露出開口の大きさは、広告板部がタイヤトレッドの接平面近傍に位置し、別のタイヤをほぼ同軸上に隣接させることができる大きさであることを特徴としている。
【０００５】
このようなタイヤ装着広告プレートによると、そのタイヤ露出開口からタイヤトレッドが露出するので、トレッド模様と広告プレートを組み合わせた広告効果を得ることができる。また、広告プレートを装着したタイヤを縦置き、横置きのいずれにおいても、隣接するタイヤに重ねることができるため、スペース効率がよい。
【０００６】
結合手段は、広告板部とは別部材（例えばゴムや紐）から構成してもよいが、広告板部に一体に形成することが好ましい。
【０００７】
例えば、広告板部には、一対の互いに平行な切断線と、この一対の切断線の両端部と直交する一対の互いに平行な折曲線と、この一対の折曲線の中間に存在する分断線とによって一対のタイヤ側面リップを形成し、一対の折曲線で折り曲げられた一対のタイヤ側面リップと一対の平行な切断線によってタイヤ露出開口を形成する。そして、この一対のタイヤ側面リップに、結合手段を構成する結合腕をそれぞれ延長形成することができる。
【０００８】
結合腕は、具体的には例えば、各タイヤ側面リップから広告板部に渡らせて設けた切断線と、該タイヤ側面リップ内に位置させた折曲線とで形成することができる。
【０００９】
【発明の実施形態】
図１は、本発明によるタイヤ装着広告プレート１０の平面（展開）形状を示している。この広告プレート１０は、形状を維持できる硬さと折曲可能な柔軟さを合わせ持つ硬質紙またはプラスチックシートからなるもので、全体として矩形をなす広告板部１１の略中心に、上下一対の互いに平行な切断線１２が形成され、この上下の切断線１２の左右端部が、該切断線１２と直交する折曲線１３で接続されている。左右の折曲線１３の間には、該折曲線１３と平行な分断線１４が形成されていて、この左右の折曲線１３と分断線１４により、左右のタイヤ側面リップ１５が形成されている。左右の折曲線１３に沿って、分断線１４で分断されている左右のタイヤ側面リップ１５を同一方向に折り曲げると、上下の切断線１２とタイヤ側面リップ１５（折曲線１３）により、略矩形のタイヤ露出開口１６（図２ないし図６参照）が形成される。図１の実線は、広告板部１１の輪郭を描く実線を除いて、切断線または分断線を示し、同破線は折曲線を示している。
【００１０】
左右のタイヤ側面リップ１５から広告板部１１に渡らせて、それぞれ結合腕１７Ａ、１７Ｂが形成されている。結合腕１７Ａ、１７Ｂは、切断線１２と平行な方向に延びていて、タイヤ側面リップ１５内に位置する折曲線１８によって該タイヤ側面リップ１５と接続されている。結合腕１７Ａには、複数の係止穴１９が形成されており、結合腕１７Ｂの幅方向の両側には、いずれかの係止穴１９に挿入される両側鋸歯状部２０が形成されている。
【００１１】
広告板部１１の表面には、価格、性能その他の広告表示２１（図２、図４）が付されている。
【００１２】
タイヤ装着広告プレート１０を装着するタイヤ３０は、ホイルを有しない裸タイヤである。タイヤ装着広告プレート１０のタイヤ露出開口１６の大きさは、タイヤ３０のトレッド（踏面）３１の一部に嵌まり該タイヤ３０の一部を露出させる大きさであり、タイヤ側面リップ１５は、開口１６のタイヤトレッドの幅方向の両側縁部に延びる。すなわち、左右の折曲線１３で折り曲げた一対のタイヤ側面リップ１５の間隔は、タイヤ３０のトレッド３１の幅より大きい。タイヤ３０のトレッド幅は、タイヤサイズによって異なるから、一対のタイヤ側面リップ１５の間隔は、使用を予定する最大のタイヤ３０のトレッド幅に対応させるのがよい。また、タイヤ露出開口１６の大きさは、広告板部１１がタイヤトレッド３１の接平面近傍に位置し、別のタイヤをほぼ同軸上に隣接させることができる大きさにされている。つまり、タイヤ露出開口１６はタイヤサイズ（径）に比して十分小さい。タイヤ露出開口１６の大きさは、図示例よりさらに小さくすることができる。
【００１３】
結合腕１７Ａと１７Ｂは、折曲線１８で折り曲げたとき、タイヤ３０の大小に拘わらず、ホイル装着穴３２内で、結合腕１７Ｂの先端部を結合腕１７Ａのいずれかの係止穴１９に挿入して結合できる長さである。結合腕１７Ｂは鋸歯状部２０を有するため、いずれかの鋸歯状突起の爪をいずれかの係止穴１９に係止することができる。
【００１４】
上記構成の本タイヤ装着広告プレート１０は従って、広告板部１１の表面に必要な広告表示２１を付した後、図４に示すように、折曲線１３に沿って左右のタイヤ側面リップ１５を同一方向に折り曲げ、さらに、折曲線１８に沿って結合腕１７Ａと１７Ｂを折り曲げる。タイヤ側面リップ１５を折り曲げたことで形成されるタイヤ露出開口１６内にタイヤ３０のトレッドを嵌め、タイヤ３０のホイル装着穴３２内で結合腕１７Ａと１７Ｂを結合する（図３、図４、図５）ことにより、タイヤ装着広告プレート１０をタイヤ３０に装着することができる。図２は単一のタイヤ３０に本広告プレート１０を装着した状態、図６の（Ａ）、（Ｂ）は別のタイヤと組み合わせた異なる陳列態様を示している。いずれの態様でも、タイヤ装着広告プレート１０の中心部のタイヤ露出開口１６からタイヤトレッド３１が露出するので、トレッド模様と広告プレート１０が組み合わされて、宣伝効果を高めることができる。また、タイヤ露出開口１６の大きさは、広告板部１１がタイヤトレッド３１の接平面近傍に位置し、別のタイヤをほぼ同軸上に隣接させることができる大きさであるので、他のタイヤの邪魔になることがない。なお、結合腕１７Ａ、１７Ｂの折曲線１８に沿う折曲方向は、図示例とは逆にしてもよい。
【００１５】
上記実施形態では、タイヤ側面リップ１５に結合腕１７Ａ、１７Ｂを設けたが、この結合腕（結合部材）は、側面リップ１５とは別部材から設けてもよい。あるいは、側面リップ１５を設けずに、タイヤ露出開口のタイヤトレッド幅方向の両側縁部に直接別の結合手段を設けてもよい。
【００１６】
【発明の効果】
以上のように本発明によれば、単独のタイヤにも、縦または横に積層するタイヤにも簡単に装着することができ、広告効果の高い広告プレートを提供することができる。
【図面の簡単な説明】
【図１】本発明によるタイヤ装着広告プレートの一実施形態を示す、平板状態の平面図である。
【図２】同タイヤ装着広告プレートをタイヤに装着した状態の斜視図である。
【図３】図２のＩＩＩ‐ＩＩＩ線に沿う断面図である。
【図４】図１の平板状態の広告プレートを折り曲げてタイヤ装着広告プレートとする手順を示す斜視図である。
【図５】同タイヤ装着広告プレートの成形状態の要部の斜視図である。
【図６】（Ａ）、（Ｂ）は、本発明によるタイヤ装着広告プレートを用いた陳列例を示す斜視図である。
【符号の説明】
１０  タイヤ装着広告プレート
１１  広告板部
１２  切断線
１３  折曲線
１４  分断線
１５  タイヤ側面リップ
１６  タイヤ露出開口
１７Ａ  １７Ｂ  結合腕
１８  折曲線
１９  係止穴
２１  広告表示
３０  タイヤ
３１  トレッド
３２  ホイル装着穴
【図１】
2004212810.tif 000003
【図２】
2004212810.tif 000004
【図３】
2004212810.tif 000005
【図４】
2004212810.tif 000006
【図５】
2004212810.tif 000007
【図６】
2004212810.tif 000008